(57)【要約】      （修正有）【課題】低コストで乾きやすい褌タイプでありながら、尿漏れを効果的に軽減することができる尿漏れ軽減用サポート褌を提供する。【解決手段】尿漏れ軽減用サポート褌１は、尿吸収部材５を出し入れ可能な収納ポケット４が、褌布２の裏面に着脱自在に取り付けられてなる。収納ポケットの裏面には、フック面ファスナーが設けられているとともに、褌布の裏面には、収納ポケットの取り付け位置を調節可能な大きさを有するループ面ファスナー２１が取り付けられている。【選択図】図１
0003201729.tif 000002
【実用新案登録請求の範囲】
【請求項１】
尿吸収部材を出し入れ可能な収納ポケットが、褌布の裏面に着脱自在に取り付けられてなる、尿漏れ軽減用サポート褌。
【請求項２】
前記収納ポケットの裏面には、フック面ファスナーが設けられているとともに、前記褌布の裏面には、前記収納ポケットの取り付け位置を調節可能な大きさを有するループ面ファスナーが取り付けられている、請求項１に記載の尿漏れ軽減用サポート褌。
【請求項３】
前記収納ポケットは、ナイロン生地を木綿生地で挟み込んでなる三重構造を有している、請求項１または請求項２に記載の尿漏れ軽減用サポート褌。
【請求項４】
前記収納ポケットの裏面には、前記フック面ファスナーと隣接する位置に、当該フック面ファスナーと略同じ大きさのループ面ファスナーがフラップ状に取り付けられている、請求項１から請求項３のいずれかに記載の尿漏れ軽減用サポート褌。
【請求項５】
前記収納ポケットの底辺部における両角には、表面側から縫い合わされた縫い目が設けられている、請求項１から請求項４のいずれかに記載の尿漏れ軽減用サポート褌。
【考案の詳細な説明】
【技術分野】
【０００１】
本考案は、尿漏れを軽減することが可能な尿漏れ軽減用サポート褌に関するものである。
【背景技術】
【０００２】
従来、突然の尿失禁や排尿後の残尿などによって漏れ出た尿を吸収することで、陰部の清潔性を維持し、着用者の不快感を軽減する機能を備えた下着が考案されている。例えば、実開平１−１１９００２号公報には、下着全体を吸水性の生地で形成すると共に、股部内側の生地上に防水布および吸水材を順次積層して形成した吸収部材を設けて構成されたパンツが開示されている（特許文献１）。
【先行技術文献】
【特許文献】
【０００３】
【特許文献１】実開平１−１１９００２号公報
【考案の概要】
【考案が解決しようとする課題】
【０００４】
しかしながら、特許文献１に記載された考案を含め、従来の尿漏れ対策用パンツは、全体的に厚手に構成されているため乾きにくく、こまめに洗濯しようとすると数を揃えておかなければならない。その一方で、尿漏れ対策用パンツは、一般的な下着よりも高価であるため、多数を常備しておくには金銭的な負担が大きいという問題がある。
【０００５】
また、従来の尿漏れ対策用パンツは、寝たきり老人等のように、介護が必要な着用者に対して着脱させることが非常に困難であり、介護者にとって重労働であるという問題がある。
【０００６】
本考案は、このような問題点を解決するためになされたものであって、低コストで乾きやすい褌タイプでありながら、尿漏れを効果的に軽減することができる尿漏れ軽減用サポート褌を提供することを目的としている。
【課題を解決するための手段】
【０００７】
本考案に係る尿漏れ軽減用サポート褌は、尿吸収部材を出し入れ可能な収納ポケットが、褌布の裏面に着脱自在に取り付けられてなる。
【０００８】
また、本考案の一態様として、前記収納ポケットの裏面には、フック面ファスナーが設けられているとともに、前記褌布の裏面には、前記収納ポケットの取り付け位置を調節可能な大きさを有するループ面ファスナーが取り付けられていてもよい。
【０００９】
さらに、本考案の一態様として、前記収納ポケットは、ナイロン生地を木綿生地で挟み込んでなる三重構造を有していてもよい。
【００１０】
また、本考案の一態様として、前記収納ポケットの裏面には前記フック面ファスナーと隣接する位置に、当該フック面ファスナーと略同じ大きさのループ面ファスナーがフラップ状に取り付けられていてもよい。
【００１１】
さらに、本考案の一態様として、前記収納ポケットの底辺部における両角には、表面側から縫い合わされた縫い目が設けられていてもよい。
【考案の効果】
【００１２】
本考案によれば、低コストで乾きやすい褌タイプでありながら、尿漏れを効果的に軽減することができる。
【図面の簡単な説明】
【００１３】
【図１】本考案に係る尿漏れ軽減用サポート褌の一実施形態を示す全体図である。
【図２】本実施形態における収納ポケットを示す（ａ）表面図、および（ｂ）裏面図である。
【図３】本実施形態において、収納ポケットを外した状態の尿漏れ軽減用サポート褌を示す全体図である
【図４】本実施形態の尿漏れ軽減用サポート褌を着用した状態を示す図である。
【考案を実施するための形態】
【００１４】
以下、本考案に係る尿漏れ軽減用サポート褌の一実施形態について図面を用いて説明する。
【００１５】
図１に示すように、本実施形態の尿漏れ軽減用サポート褌１は、主に男性用の下着として構成されたものであり、主として、長尺状の褌布２と、この褌布２の一端に設けられる褌紐３と、前記褌布２の裏面に着脱自在に取り付けられる収納ポケット４と、この収納ポケット４に出し入れ可能な尿吸収部材５とから構成されている。以下、各構成部について説明する。
【００１６】
褌布２は、着用者の局部および臀部を被覆するものである。本実施形態において、褌布２は、図１に示すように、さらし布などによって長尺状に形成されている。また、褌布２の一端には、褌紐３が設けられており、いわゆる越中褌として構成されている。なお、本考案に係る尿漏れ軽減用サポート褌１は、越中褌に限定されるものではなく、六尺褌、もっこ褌、割褌、黒猫褌等、褌布２を有する全ての褌に適用可能である。
【００１７】
褌布２の裏面には、図１に示すとおり、面ファスナーのループ面からなるループ面ファスナー２１が設けられている。本実施形態において、ループ面ファスナー２１は、着用者の局部の位置に応じて、収納ポケット４の取り付け位置を自在に調節することが出来る程度の大きさに形成されている。
【００１８】
収納ポケット４は、図２に示すように、尿吸収部材５を出し入れ可能に収納し、かつ、図３に示すように、褌布２の裏面に着脱自在に取り付けるためのものである。本実施形態において、収納ポケット４は、図１から図３に示すとおり、大きくＶ字に切れ込みの入った開口部４１を有しており、尿吸収部材５の出し入れが容易になっている。また、前記Ｖ字状の開口部４１は当該褌１を着用する際に着用者の陰茎を入れやすく安置させやすい構造でもある。なお、収納ポケット４の大きさは、特に限定するものではなく、尿吸収部材５の大きさ、もしくは着用者の必要に応じて適宜選択してよい。
【００１９】
また、収納ポケット４の裏面には、面ファスナーのフック面からなるフック面ファスナー４２が設けられている。このフック面ファスナー４２は、図２（ｂ）に示すように、収納ポケット４の裏面における上端縁に沿って細長い形状に設けられている。これにより、前記収納ポケット４を安定的に固定できるとともに簡単に着脱できるため、固定位置の調整や洗浄の際に便利である。なお、前記フック面ファスナー４２を設ける箇所は、前記収納ポケット４の上端縁に限定されるものではなく、着脱の容易性を逸脱しない範囲であれば前記収納ポケット４の両側縁に沿って設けられる等、他の位置であってもよい。
【００２０】
さらに、本実施形態において、収納ポケット４の裏面には、図２（ｂ）に示すとおり、フック面ファスナー４２と隣接する下方位置に、当該フック面ファスナー４２と略同じ大きさのループ面ファスナー４３が上縁を縫製されてフラップ状に設けられている。このループ面ファスナー４３は、フック面ファスナー４２側に折り返されることにより、当該フック面ファスナー４２を覆い隠す機能を備えている。
【００２１】
さらに、本実施形態において、収納ポケット４の底辺における両角は、図２に示すように、表面側から斜めの縫い目４４によって縫い合わされている。これらの縫い目４４は収納する尿吸収部材５を内部で遊びにくく、安定させるとともに、収納ポケット４が裏返しになっていないことを識別するための目印として機能する。
【００２２】
なお、本実施形態において、収納ポケット４は、ナイロン生地を木綿生地で挟み込んでなる三重構造を有している。前記ナイロン生地が内部に収容されているため、より一層外側に尿が漏れにくくなっている。また、本実施形態において、尿吸収部材５は、ナプキンを使用しているが、これに限定されるものではなく、尿漏れが少量の場合には、トイレットペーパーやティッシュを使用してもよい。
【００２３】
つぎに、以上の構成を備えた本実施形態の尿漏れ軽減用サポート褌１による作用について図面を参照しつつ説明する。
【００２４】
本実施形態の尿漏れ軽減用サポート褌１を用いて尿漏れを軽減する場合、まず、図２に示すように、尿吸収部材５を収納ポケット４へ収納する。このとき、収納ポケット４の開口部４１がＶ字状に形成されているため、尿吸収部材５を容易に収納させられる。また、収納ポケット４は、縫い目４４を目印として表裏を識別させるため、洗濯の際に裏返しにしてもそのまま使用してしまうことを防止する。
【００２５】
つぎに、図３に示すように、尿吸収部材５を収納した収納ポケット４を褌布２の裏面に取り付ける。このとき、収納ポケット４のフック面ファスナー４２が、所定の大きさを有するループ面ファスナー２１に対して容易に取り付けおよび取り外しされる。このため、尿吸収部材５を収容した収納ポケット４が、着用者の陰茎の位置に応じて取り付け位置を自由に調節されるため、位置ズレを防止し、様々な着用者に適合する。
【００２６】
つづいて、図４に示すように、越中褌を着用する要領で、本実施形態の尿漏れ軽減用サポート褌１を着用する。これにより、尿吸収部材５を収納した収納ポケット４が、着用者の陰部と対向する位置に配置されるため、尿漏れ時にはほぼ確実に尿を吸収し、衣類へのしみ出しを防止する。
【００２７】
また、本実施形態では、収納ポケット４が、ナイロン生地を木綿生地で挟み込んでなる三重構造を有しているため、着用者の肌に触れるのはナイロン生地ではなく、木綿生地になる。この構造によって着用者の肌にかかる負担を低減するとともに、漏れ防止機能をより一層向上させている。さらに、本実施形態では、尿漏れがしにくい三重構造であるためナプキンの代わりに、トイレットペーパーやティッシュ等も尿吸収部材５として代替可能であり、代えのナプキンを切らしてしまった場合でも安心である。また、急な尿漏れ時において、尿吸収部材５もしくは収納ポケット４そのものを交換することで着用者の陰部の清潔性を維持し、不快感を軽減する。
【００２８】
つぎに、尿漏れ軽減用サポート褌１を取り外す場合、褌タイプであるため、褌紐３をほどくだけで迅速かつ簡単に着用者から取り外される。このため、従来、要介護者に尿漏れ対策用パンツを脱がせたり着させたりする作業は極めて重労働であったが、当該作業にかかる介護者の負担が格段に軽減する。
【００２９】
着用後の収納ポケット４を洗濯する場合、褌布２のループ面ファスナー２１から取り外した後、収納ポケット４の裏面に設けられたループ面ファスナー４３をめくり上げ、フック面ファスナー４２に付着させる。これにより、ループ面ファスナー４３がフック面ファスナー４２を被覆し、糸くず等のゴミが付着してしまうのを防止する。
【００３０】
さらに、尿漏れ軽減用サポート褌１は収納ポケット４を取り外すことで、通常の褌として用いることができる。このとき、ループ面ファスナー２１も軽微な尿吸収効果を持つため、軽い尿漏れならば吸収することも期待される。
【００３１】
以上のような本実施形態の尿漏れ軽減用サポート褌１によれば、以下の効果を得ることができる。
１．低コストで乾きやすい褌タイプでありながら、尿漏れを効果的に軽減することができる。
２．尿吸収部材５入り収納ポケット４を着用者に応じて最適な位置に取り付けることができ、効率的に尿を吸収することができる。
３．尿吸収部材５入り収納ポケット４を交換することで、尿漏れ時における着用者の不快感を軽減するとともに、衣類へのしみ出しを防止し、清潔性を維持することができる。
４．収納ポケット４を三重構造にすることによって、着用者の肌への負担を軽減するとともに、尿漏れ軽減機能を一層向上することができる。
５．フラップ状のループ面ファスナー４３によって、フック面ファスナー４２へのゴミの付着を防止することができる。
６．収納ポケット４の縫い目４４によって、表裏を間違えて使用してしまうのを防止することができる。
７．褌タイプであるため、通気性が高くて蒸れにくく、暑い夏でも快適に着用することができる。
８．収納ポケット４を取り外すことで、尿漏れ軽減用サポート褌１を通常の褌として用いることができる。
【００３２】
なお、本発明に係る尿漏れ軽減用サポート褌は、前述した実施形態に限定されるものではなく、適宜変更することができる。
【００３３】
例えば、上述した本実施形態では、収納ポケット４を褌布２の裏面に着脱自在に取り付けるための構成として、フック面ファスナー４２およびループ面ファスナー２１を用いているが、この構成に限定されるものではない。例えば、収納ポケット４の裏面にスナップボタンの一方を取り付け、褌布２の裏面にスナップボタンの他方を所定間隔を隔てて複数個設けるようにしてもよい。
【００３４】
また、本実施形態において、褌紐３は、一般的な越中褌の形状として構成されているが、この構成に限定されるものではない。例えば、バックル、面ファスナー、ホックおよびボタン等の固定具を褌紐３の先端に取り付けてもよい。
【符号の説明】
【００３５】
１    尿漏れ軽減用サポート褌
２    褌布
３    褌紐
４    収納ポケット
５    尿吸収部材
２１   ループ面ファスナー
４１   開口部
４２   フック面ファスナー
４３   ループ面ファスナー
４４   縫い目
【図１】
0003201729.tif 000003
【図２】
0003201729.tif 000004
【図３】
0003201729.tif 000005
【図４】
0003201729.tif 000006